(57)【要約】【課題】軒樋が外れ難い軒樋支持具を提供する。【解決手段】軒樋支持具１は、所定位置に位置するとき前耳支持部２１と後耳支持部２２による軒樋７に対する支持が外れないようにする抜け止め部材１２を備える。抜け止め部材１２は、前耳支持部２１と共に前耳部７２ａを挟む前耳当接部３０と、後耳支持部２２と共に後耳部７３ａを挟む後耳当接部４０と、を有することを特徴とする。【選択図】図１
2016069944.tif 000002
【特許請求の範囲】
【請求項１】
家屋に固定される固定部と、前記固定部に設けられ軒樋の屋内側とは反対側にある前耳部を支持する前耳支持部と、前記固定部に設けられ前記軒樋の屋内側にある後耳部を支持する後耳支持部と、所定位置に位置するとき前記前耳支持部と前記後耳支部による前記軒樋に対する支持が外れないようにする抜け止め部材と、を備え、
前記抜け止め部材は、前記前耳支持部と共に前記前耳部を挟む前耳当接部と、前記後耳支持部と共に前記後耳部を挟む後耳当接部と、を有することを特徴とする軒樋支持具。
【請求項２】
前記抜け止め部材を前記所定位置で固定するロック部を備えることを特徴とする軒樋支持具。
【請求項３】
前記前耳当接部には、前記前耳部の上端部に当たり、前記前耳部の上方への移動を規制する規制片が設けられることを特徴とする請求項１又は請求項２に記載の軒樋支持具。
【発明の詳細な説明】
【技術分野】
【０００１】
本発明は、軒樋支持具に関するものである。
【背景技術】
【０００２】
従来、軒樋支持具として、家屋に固定される固定部と、固定部に設けられ軒樋の前耳部を支持する前耳支持部と、固定部に設けられ軒樋の後耳部を支持する後耳支持部と、を備えたものが知られている（例えば特許文献１参照）。
【先行技術文献】
【特許文献】
【０００３】
【特許文献１】特開２０１３−６４２７１号公報
【発明の概要】
【発明が解決しようとする課題】
【０００４】
特許文献１に記載されている発明の軒樋支持具は、後耳支持部と共に後耳部を挟む後耳当接部を備える。しかし、前耳部は前耳支持部により支持されているだけなので、軒樋に外力が加えられたとき、軒樋が軒樋支持具から外れてしまう虞があった。
【０００５】
本発明は上記従来の問題点に鑑みて発明したものであって、その目的とするところは、軒樋が外れ難い、軒樋支持具を提供することを課題とするものである。
【課題を解決するための手段】
【０００６】
上記課題を解決するために、本発明は、以下のような構成とする。
【０００７】
家屋に固定される固定部と、前記固定部に設けられ軒樋の屋内側とは反対側にある前耳部を支持する前耳支持部と、前記固定部に設けられ前記軒樋の屋内側にある後耳部を支持する後耳支持部と、所定位置に位置するとき前記前耳支持部と前記後耳支部による前記軒樋に対する支持が外れないようにする抜け止め部材と、を備え、前記抜け止め部材は、前記前耳支持部と共に前記前耳部を挟む前耳当接部と、前記後耳支持部と共に前記後耳部を挟む後耳当接部と、を有することを特徴とする。
【発明の効果】
【０００８】
本発明の軒樋支持具は、前耳当接部と前耳支持部とで前耳部を挟み、後耳当接部と後耳支持部とで後耳部を挟み込むので、軒樋に外力が加わっても、軒樋が外れ難い。
【図面の簡単な説明】
【０００９】
【図１】図１Ａは軒樋支持具が軒樋を固定している側面図であり、図１Ｂは軒樋支持具が軒樋を固定している正面図であり、図１Ｃは軒樋支持具が軒樋を固定している平面図である。
【図２】図２は支持具本体の軸受部と抜け止め部材の軸部を示した拡大断面図である。
【図３】図３Ａは抜け止め部材を前斜め下方から視た斜視図であり、図３Ｂは抜け止め部材を後斜め上方から見た斜視図である。
【図４】図４Ａはロック部を示した図１ＣのＡ−Ａ断面図であり、図４Ｂはロック部の他例を示した拡大断面図である。
【図５】図５Ａは抜け止め部材を縦にしたときの断面図であり、図５Ｂは抜け止め部材を支持具本体に挿入した状態の斜視断面図であり、図５Ｃは横にした抜け止め部材が支持具本体に固定された固定状態を示した断面図である。
【発明を実施するための形態】
【００１０】
以下、本発明を添付図面に示す実施形態に基いて説明する。
【００１１】
軒樋支持具１は、図１Ａに示すように、家屋の鼻板８０の前面に取付けられ軒樋７を支持する。
【００１２】
軒樋７は、本実施形態では、上方に開口する略コ字状の断面となる角樋であるが、断面が半円状の丸樋であってもよく、特に限定されない。軒樋７は、合成樹脂や金属で形成されるが、その材質は特に限定されない。ここで、軒樋支持具１が軒樋７を支持固定した状態を基準として、屋内側を後側、屋内側とは反対側を前側とし、軒樋支持具１を正面から視て右を右側とし左を左側とする。
【００１３】
軒樋７は、前側に設けられる前壁７１と、後側に設けられる後壁７３と、前壁７１の下端と後壁７３の下端とを繋げて設けられる底壁７４と、を備える。屋根から落ちてくる流水を受けるために、前壁７１と底壁７４とのなす角度は鈍角であることが好ましい。底壁７４と後壁７３とのなす角度は直角であることが好ましいが、特に限定されるものではない。
【００１４】
後壁７３の後面の上端部には、軒樋７の長手方向と直交する断面形状が略矩形状となる後耳部７３ａが設けられる。なお、後耳部７３ａの形状は矩形状に限定されない。
【００１５】
前壁７１の上端部には、前壁７１の上端から後方向に延び出る延出片７２と、延出片７２の後端部に配置される前耳部７２ａと、が設けられる。前耳部７２ａは、軒樋７の長手方向と直交する断面形状が略矩形状となっているが、その形状は限定されない。前耳部７２ａと前壁７１との間には、下方に開口する隙間２６が形成される。
【００１６】
軒樋支持具１は、本実施形態では、図１Ａ〜Ｃに示すように、家屋に固定される支持具本体１１と、支持具本体１１に取付けられる抜け止め部材１２と、を備える。
【００１７】
支持具本体１１は、家屋の鼻板８０の前面に固定される固定部２０と、固定部２０に設けられ前耳部７２ａを支持する前耳支持部２１と、固定部２０に設けられ後耳部７３ａを支持する後耳支持部２２と、を備える。支持具本体１１は、ポリカーボネート等の合成樹脂やアルミ等の金属で成形されたものであるが、材質や製法は限定されない。
【００１８】
固定部２０は、正面視略矩形状となっているが、その形状は限定されない。固定部２０には、鼻板８０に固定するためのネジを挿通するための孔２０ａが形成される。固定部２０には、本実施形態では、孔２０ａが六カ所に設けられるが、その数は限定されない。また、孔２０ａは、固定部２０における左右方向の幅の中心線に対して、線対称に配置される。
【００１９】
前耳支持部２１は、固定部２０から後壁７３の上方を通って前耳部７２ａの下面に沿うようにして前方に延びる懸架部２１ａと、懸架部２１ａの先端から上方向に突出し前壁７１の上端部と前耳部７２ａとの間の隙間２６に挿入される挿入片２１ｂと、を有する。挿入片２１ｂは、側面視略Ｌ字状になっている。挿入片２１ｂの上端部は後方向に突出しており、その上端部の後面が前耳部７２ａの前面に当たる。また、挿入片２１ｂの上端面が延出片７２の下端面に当たる。前耳支持部２１では、懸架部２１ａが前耳部７２ａの下面に当たり、挿入片２１ｂが前耳部７２ａの前面に当たり、挿入片２１ｂの上端面が延出片７２の下端面に当たることにより、軒樋７の前側を支持する。
【００２０】
懸架部２１ａには、図１Ｃ，図２に示すように、後述する抜け止め部材１２の軸部３６が挿入される軸受部２３が設けられる。軸受部２３は、本実施形態では、上方に開口するＣ字状に形成されるが、その形状は限定されない。軸受部２３は、軸受本体２３ａと、軸受本体２３ａの内部に軸部３６が挿通するための挿通孔２３ｂと、を有する。
【００２１】
後耳支持部２２は、固定部２０に設けられ後耳部７３ａの後面が当たるようにして下方に延びる垂下部２２ａと、垂下部２２ａの先端部から前方に向かって突出し後壁７３の後面が当たる突出部２２ｂと、を有する。後耳支持部２２では、垂下部２２ａが後耳部７３ａの後面に当たり、突出部２２ｂが後耳部７３ａの下面に当たることにより、軒樋７の後側を支持する。後耳支持部２２は、本実施形態では、固定部２０に設けられるが、前耳支持部２１に設けられてもよい。
【００２２】
固定部２０と前耳支持部２１と後耳支持部２２は、一体に射出成形で製造されることが好ましいが、特に限定されるものではない。
【００２３】
懸架部２１ａの右側端部には、図４Ａに示すように、左方向に凹んだ第一凹部２４が形成される。また、懸架部２１ａの左側端部には、右方向に凹んだ第二凹部２５が形成される。第一凹部２４と第二凹部２５は、懸架部２１ａの前側端部から後側端部にかけて溝状に形成される。
【００２４】
懸架部２１ａには、本実施形態では、所定位置に位置するとき前耳支持部２１と後耳支持部２２による軒樋７に対する支持が外れないようにする抜け止め部材１２が取付けられる。なお、抜け止め部材１２が取付けられる位置は懸架部２１ａに限定されない。
【００２５】
抜け止め部材１２は、懸架部２１ａに回転可能に軸支される。抜け止め部材１２は、軒方向に平行な方向を軸として回転することが好ましい。このように抜け止め部材１２が回転すると、抜け止め部材１２が上方から前耳部７２ａに近付いて当たる。従って、軒樋７が上方向に反っていたとしても、その反りを抜け止め部材１２が押え込むことで、軒樋７を固定することができる。
【００２６】
抜け止め部材１２は、図３Ａ，図３Ｂに示すように、前耳部７２ａに当たり前耳支持部２１と共に前耳部７２ａを挟む前耳当接部３０を有する。また、抜け止め部材１２は、後耳部７３ａに当たり後耳支持部２２と共に後耳部７３ａを挟む後耳当接部４０と、を有する。
【００２７】
前耳当接部３０は、本実施形態では、正面視矩形状をしているが、その形状は特に限定されない。前耳当接部３０は、側面視において、上方に行く程前方に位置するように傾斜している。前耳当接部３０の傾斜は、前耳部７２ａの後端面の下方に行く程後方に位置する傾斜に沿うように形成される。これにより、前耳当接部３０は前耳部７２ａの後端面に面接触することになる。また、前耳当接部３０は前耳部７２ａを下斜め前方に押すことになるので、下方向及び前方向に分力が生じ、前耳部７２ａの上方及び後方への移動を規制することができる。
【００２８】
前耳当接部３０には、前耳部７２ａの上端部が当たり、前耳部７２ａの上方への移動を規制する規制片３１が設けられる。規制片３１は、前耳当接部３０の上端から前方向に突出して設けられる。規制片３１により、より確実に前耳部７２ａの上方への移動を規制することができる。
【００２９】
前耳当接部３０には、前耳当接部３０の右側端部に設けられ前耳当接部３０と後耳当接部４０とを連結する第一連結部３２が設けられる。前耳当接部３０には、前耳当接部３０の左側端部に設けられ前耳当接部３０と後耳当接部４０とを連結する第二連結部３４が設けられる。従って、前耳当接部３０と後耳当接部４０とが第一連結部３２と第二連結部３４により連結される。これにより、抜け止め部材１２を回転させ所定位置に位置させたとき、前耳当接部３０を前耳部７２ａに当てると共に後耳当接部４０を後耳部７３ａに当てることができる。そして、第一連結部３２と第二連結部３４は、対向して設けられる。また、第一連結部３２と第二連結部３４は、前耳当接部３０の左右方向の幅の中心線に対して線対称に形成される。
【００３０】
第一連結部３２と第二連結部３４との間の距離Ｌは、図１Ｃに示すように、前耳支持部２１の懸架部２１ａの左右方向の長さ以上に設定されることが好ましい。
【００３１】
第一連結部３２は、図３Ａ，図３Ｂに示すように、前耳当接部３０の右側端部から後方向に向けて設けられる第一直線部３２ａと、第一直線部３２ａの後端部に設けられ下方に行く程後方に位置する第一傾斜部３２ｂと、を有する。第一傾斜部３２ｂの後端部には、右方向に突出する第一後耳当接部４０ａが設けられる。
【００３２】
第二連結部３４は、前耳当接部３０の左側端部から後方向に向けて設けられる第二直線部３４ａと、第二直線部３４ａの後端部に設けられ下方に行く程後方に位置する第二傾斜部３４ｂと、を有する。第二傾斜部３４ｂの後端部には、左方向に突出する第二後耳当接部４０ｂが設けられる。
【００３３】
後耳当接部４０は、本実施形態では、第一連結部３２に設けられる第一後耳当接部４０ａと、第二連結部３４に設けられる第二後耳当接部４０ｂと、で構成される。なお、後耳当接部４０は、第一後耳当接部４０ａと第二後耳当接部４０ｂとが連結され一体に形成されてもよい。第一後耳当接部４０ａと第二後耳当接部４０ｂは、本実施形態では、正面視矩形状となっているがその形状は限定されない。
【００３４】
抜け止め部材１２には、軸受部２３に挿入される軸部３６が設けられる。軸部３６は、第一傾斜部３２ｂの前側端部と第二傾斜部３４ｂの前側端部に架け渡されるように設けられる。軸部３６は、本実施形態では、図２に示すように、軸受部２３の内面と略等しい曲率となる曲面部と、曲面部から連設される平面部と、を有する。曲面部は、軸部３６の軸に対して点対称に二面設けられる。平面部は、軸部３６の軸に対して点対称に二面設けられる。このとき、軸部３６は、一方の平面部と他方の平面部との間の中心線に対して線対称な形状となる。また、軸部３６の一方の平面部と他方の平面部との間の長さは、挿通孔２３ｂの幅の長さ以下に形成される。
【００３５】
第一直線部３２ａの下端部には、図３Ａ，図３Ｂ，図４Ａに示すように、第一凹部２４に掛止される第一掛止部３３が設けられる。第一掛止部３３の先端部には、左方向に突出して設けられ第一凹部２４に挿入される爪部３３ａが形成される。また、第一掛止部３３の爪部３３ａの上方には、懸架部２１ａの上端面に当たる押え部３３ｂが設けられる。爪部３３ａと押え部３３ｂの間には、第一凹部２４の上端縁と懸架部２１ａの上端面との間の部分が挿入される。
【００３６】
第二直線部３４ａの下端部には、第二凹部２５に掛止される第二掛止部３５が設けられる。第二掛止部３５の先端部には、右方向に突出して設けられ第二凹部２５に挿入される爪部３５ａが形成される。また、第二掛止部３５の爪部３５ａの上方には、懸架部２１ａの上端面に当たる押え部３５ｂが設けられる。爪部３５ａと押え部３５ｂの間には、第二凹部２５の上端縁と懸架部２１ａの上端面との間の部分が挿入される。
【００３７】
第一直線部３２ａと第二直線部３４ａ及び第一傾斜部３２ｂと第二傾斜部３４ｂの長さは、抜け止め部材１２が所定位置に位置するとき、前耳当接部３０が前耳部７２ａに当たり且つ後耳当接部４０が後耳部７３ａに当たるように設定される。また、第一掛止部３３と第二掛止部３５の長さは、抜け止め部材１２が所定位置に位置するとき、第一掛止部３３が第一凹部２４に掛止され且つ第二掛止部３５が第二凹部２５に掛止されるように設定される。
【００３８】
軒樋支持具１には、抜け止め部材１２を所定位置で固定するロック部５が設けられる。ロック部５は、本実施形態では、上述した第一掛止部３３と第一凹部２４及び第二掛止部３５と第二凹部２５により構成される。抜け止め部材１２は、所定位置に位置するとき、前耳当接部３０と前耳支持部２１とで前耳部７２ａを挟み、後耳当接部４０と後耳支持部２２とで後耳部７３ａを挟む固定状態となる。その固定状態が、本実施形態では、上述したロック部５により保持される。
【００３９】
ロック部５の他例について記載する。ロック部５は、図４Ｂに示すように、軸受部２３に形成される突条５１により構成されてもよい。このロック部５では、軸受部２３の前側の内面に、軸部３６の一方の平面部と他方の平面部との間の長さと略同じ距離をあけて二条の突条５１が設けられる。また、軸受部２３の後側の内面に、軸部３６の一方の平面部と他方の平面部との間の長さと略同じ距離をあけて二条の突条５１が設けられる。突条５１は、断面形状が半円状に設けられることが好ましい。
【００４０】
第一直線部３２ａと第二直線部３４ａには、第一掛止部３３と第二掛止部３５による抜け止め部材１２の固定を解除するために摘まみ部６が設けられる。摘まみ部６は、図１Ｂ，図３Ａ，図３Ｂに示すように、正面視略Ｕ字状となっている。摘まみ部６は、第一直線部３２ａ及び第二直線部３４ａの上端部から上方向に延び出して設けられる延出部６１，６２を有する。
【００４１】
第一直線部３２ａに設けられる延出部６１の上端部は、上方に行く程右方に位置するように傾斜している。そして、延出部６１の上端部の右側端面には、右斜め下方に突出する突起６１ａが形成される。また、第二直線部３４ａに設けられる延出部６２の上端部は、上方に行く程左方に位置するように傾斜している。第二直線部３４ａ側の延出部６２の上端部の左側端面には、左斜め下方に突出する突起６２ａが形成される。
【００４２】
このように、延出部６１，６２の上端部に傾斜が設けられることにより、延出部６１，６２が近付くように作業者が摘まみ部６を摘まんだとき、指が滑り難くなる。さらに、突起６１ａ，６２ａが形成されることにより、摘まみ部６を摘まんだ作業者の手が滑り難くなる。
【００４３】
摘まみ部６は、第一直線部３２ａと第二直線部３４ａとを架け渡して設けられる架橋部６３を有する。架橋部６３は、第一直線部３２ａから第二直線部３４ａにかけてアーチ状に設けられる。
【００４４】
上記した構成の軒樋支持具１の家屋への取付けと軒樋７の固定について、以下に記載する。
【００４５】
作業者は、図５Ａに示すように、抜け止め部材１２を縦にした状態にする。作業者は、図５Ｂに示すように、その状態の抜け止め部材１２の軸部３６を支持具本体１１の軸受部２３の挿通孔２３ｂから軸受部２３の内部に挿入する。作業者は、この軒樋支持具１を家屋の鼻板８０に固定し、軒樋７の前耳部７２ａと後耳部７３ａを支持具本体１１の前耳支持部２１と後耳支持部２２に支持させるように軒樋７を軒樋支持具１に取付ける。作業者は、抜け止め部材１２の上側を前斜め下方に回転させ、抜け止め部材１２の下側を後斜め上方に回転させ、抜け止め部材１２を横にする。作業者は、図５Ｃに示すように、第一掛止部３３が第一凹部２４に掛止され且つ第二掛止部３５が第二凹部２５に掛止される所定位置まで回転させることにより、軒樋７を軒樋支持具１に固定することができる。
【００４６】
軒樋支持具１から軒樋７を外す場合、作業者は、摘まみ部６の対向する延出部６１，６２同士が近付くように延出部６１，６２を摘まむことで、第一掛止部３３と第二掛止部３５によるロックを解除する。そして、作業者は、上記した軒樋７を軒樋支持具１に取付ける方法とは逆の手順を行うことで、軒樋７を外すことができる。
【００４７】
上記した軒樋支持具１では、抜け止め部材１２と支持具本体１１とで軒樋７を挟み込んで固定するので、軒樋７に外力が加わっても、軒樋７が軒樋支持具１から外れ難い。また、抜け止め部材１２は、軸方向に平行な軸を中心に回転するので、前耳当接部３０が上方から前耳部７２ａに当たる。このとき、前耳部７２ａが上方から押え込まれるので、軒樋７が上方向に反っていても、軒樋７を軒樋支持具１に固定することができる。
【００４８】
上記した軒樋支持具１は、以下のような構成を備える。
【００４９】
軒樋支持具１は、家屋に固定される固定部２０と、固定部２０に設けられ軒樋７の屋内側とは反対側にある前耳部７２ａを支持する前耳支持部２１と、固定部２０に設けられ軒樋７の屋内側にある後耳部７３ａを支持する後耳支持部２２と、を備える。また、軒樋支持具１は、所定位置に位置するとき前耳支持部２１と後耳支持部２２による軒樋７に対する支持が外れないようにする抜け止め部材１２を備える。抜け止め部材１２は、前耳支持部２１と共に前耳部７２ａを挟む前耳当接部３０と、後耳支持部２２と共に後耳部７３ａを挟む後耳当接部４０と、を有することを特徴とする。
【００５０】
これにより、軒樋７に外力が加わっても、軒樋７が軒樋支持具１から外れ難い。
【００５１】
また、軒樋支持具１は、抜け止め部材１２を所定位置で固定するロック部５を備えることが好ましい。
【００５２】
これにより、前耳当接部３０と前耳支持部２１とで前耳部７２ａを挟み、後耳当接部４０と後耳支持部２２とで後耳部７３ａを挟む固定状態を保持することができる。
【００５３】
また、前耳当接部３０には、前耳部７２ａの上端部に当たり、前耳部７２ａの上方への移動を規制する規制片３１が設けられることが好ましい。
【００５４】
これにより、軒樋７が上方に移動し難くなる。
【符号の説明】
【００５５】
１    軒樋支持具
１１  支持具本体
１２  抜け止め部材
２０  固定部
２１  前耳支持部
２２  後耳支持部
３０  前耳当接部
４０  後耳当接部
７    軒樋
７２ａ  前耳部
７３ａ  後耳部
【図１】
2016069944.tif 000003
【図２】
2016069944.tif 000004
【図３】
2016069944.tif 000005
【図４】
2016069944.tif 000006
【図５】
2016069944.tif 000007